(57)【要約】【課題】  レンズ鏡筒の厚みを増すことなく、フレキシブル基板の浮きを抑えるテープ等の追加部品を必要としないフレキシブル基板の処理構造を提供する。【解決手段】  変倍用の変倍レンズを有する撮像光学系を収納する第１ユニットと、撮像光学系が形成する光学像を光電変換する撮像素子と変倍レンズを駆動する変倍モータを保持する第２ユニットとを有し、変倍モータに電力を供給し、少なくとも１つの折り曲げ部を有したフレキシブルプリント配線基板と、第２ユニットに設けられ第１ユニットの駆動部が光軸方向に進退動作をする領域外に配置された固定部材と、第２ユニットに設けられ変倍モータを保持し変倍モータの背面に開口部が設けられたベース部材とを有し、第２ユニットは、フレキシブル基板をベース部材の肉厚内で処理する処理手段を有し、ベース部材の開口部に設けられた係止部と固定部材との空隙に折り曲げ部が収納されるレンズ鏡筒。【選択図】  図７
2014102432.tif 000002
【特許請求の範囲】
【請求項１】
変倍用の変倍レンズを有する撮像光学系を収納する第１ユニットと、
前記撮像光学系が形成する光学像を光電変換する撮像素子と前記変倍レンズを駆動する変倍モータを保持する第２ユニットと、
前記変倍モータに電力を供給し、少なくとも１つの折り曲げ部を有したフレキシブル基板と、
前記第２ユニットに設けられ、前記第１ユニットの駆動手段が光軸方向に進退動作をする領域外に配置された固定部材と、
前記第２ユニットに設けられ、前記変倍モータを保持し前記変倍モータの背面に開口部が設けられたベース部材とを有し、
前記ベース部材の前記開口部に設けられた係止部と前記固定部材との空隙に前記折り曲げ部が収納されることを特徴とするレンズ鏡筒。
【請求項２】
前記固定部材は、前記変倍レンズを光軸方向に駆動する変倍モータであることを特徴とする請求項１に記載のレンズ鏡筒。
【請求項３】
請求項１ないし２に記載のレンズ鏡筒を有することを特徴とする撮像装置。
【発明の詳細な説明】
【技術分野】
【０００１】
本発明は、レンズ鏡筒および撮像装置に関する。
【背景技術】
【０００２】
デジタルカメラ等に用いられるレンズ鏡筒には、撮像光学系の変倍レンズを駆動する変倍モータとフォーカスレンズを駆動するフォーカスモータに電力を供給するフレキシブル基板が設けられている。そして、ユニット同士を組み付ける際に、光軸方向被写体側のユニット（第１ユニット）をフレキシブル基板に干渉しないように移動させて作業性を向上することが求められている。これに対して、特許文献１は、フレキシブル基板の一部を光軸方向撮像素子側のユニット（第２ユニット）の背面に配置することを提案している。
【先行技術文献】
【特許文献】
【０００３】
【特許文献１】特開２００８−３１０２８５号公報
【発明の概要】
【発明が解決しようとする課題】
【０００４】
特許文献１のように、フレキシブル基板を固定するために第２ユニットに係止部等を設けると、カメラの光軸方向の厚さが厚くなってしまう。
【０００５】
そこで、本発明は、レンズ鏡筒の厚みを増すことなく、且つ、フレキシブル基板の浮きを抑えるテープ等の別部品なしでフレキシブル基板を処理し、薄型化・小径化と設計の自由度に優れたレンズ鏡筒および撮像装置を提供することを目的とする。
【課題を解決するための手段】
【０００６】
上述した課題を解決するために、本発明のレンズ鏡筒は、変倍用の変倍レンズを有する撮像光学系を収納する第１ユニットと、前記撮像光学系が形成する光学像を光電変換する撮像素子と前記変倍レンズを駆動する変倍モータを保持する第２ユニットと、前記変倍モータに電力を供給し、少なくとも１つの折り曲げ部を有したフレキシブル基板と、前記第２ユニットに設けられ、前記第１ユニットの駆動手段が光軸方向に進退動作をする領域外に配置された固定部材と、前記第２ユニットに設けられ、前記変倍モータを保持し前記変倍モータの背面に開口部が設けられたベース部材とを有し、前記ベース部材の前記開口部に設けられた係止部と前記固定部材との空隙に前記折り曲げ部が収納されることを特徴としている。
【発明の効果】
【０００７】
本発明によれば、レンズ鏡筒の厚みを増すことなく、且つ、フレキシブル基板の浮きを抑えるテープ等の別部品なしでフレキシブル基板を処理し、薄型化・小径化と設計の自由度に優れたレンズ鏡筒および撮像装置を提供することができる。
【図面の簡単な説明】
【０００８】
【図１】本実施例の撮像装置の斜視図である。
【図２】図１に示すレンズ鏡筒の拡大斜視図である。
【図３】図１に示すレンズ鏡筒のフレキシブル基板を取り除いた状態を示す背面図である。
【図４】図１に示すレンズ鏡筒のフレキシブル基板を取り付けた状態を示す背面図である。
【図５】フレキシブル基板の処理構造を示す斜視図である。
【図６】図４のＡ部の部分拡大断面図である。
【図７】図４のＢ部の部分拡大断面図である。
【発明を実施するための形態】
【０００９】
以下、本発明の実施形態の一例を図を参照して説明する。
【００１０】
図２は、図１に示す本実施例のレンズ鏡筒２の分解斜視図である。本実施例の撮像装置１はデジタルカメラであるが、デジタルビデオカメラなど他の撮像装置にも適用可能である。
【００１１】
図１に示すように、撮像装置１は、被写体を撮像するレンズ鏡筒２を有し、レンズ鏡筒２は、図２に示すように、前側（被写体側）の第１ユニット１０と後側（撮像素子側）の第２ユニット２０を有する。そして、本実施例では、レンズ鏡筒２は、第１ユニット１０は第２ユニット２０に対して光軸方向から組み付けて不図示のビスにより固定される。
【００１２】
第１ユニット１０は被写体の光学像を形成する撮像光学系を収納する。撮像光学系は、不図示の固定レンズ群と、光軸方向に移動可能に構成された変倍用の不図示の変倍レンズ（ズームレンズ）とを有する。
【００１３】
第２ユニット２０は、光軸方向に移動可能に構成されて焦点調節用の不図示のフォーカスレンズと、撮像光学系によって撮像された被写体像（光学像）を光電変換する撮像素子２２とを有し、これを保持する。第２ユニット２０は、ベース部材２１に対して、放熱部材２３、変倍ユニット３０、フォーカスユニット４０、フレキシブル基板５０を組み付けて構成される。
【００１４】
図３はレンズ鏡筒２の背面図である。撮像素子２２は熱伝導に優れた材料から構成される放熱部材２３に保持されている。放熱部材２３はほぼ円盤形状を成して中央に撮像素子２２が固定された取り付け部を有する。また、３つのビス２４によって放熱部材２３の取り付け部はベース部材２１の基部に固定されている。
【００１５】
変倍ユニット３０は、変倍モータ３１と、回転検出部３２と、不図示のギアユニットを有する。変倍モータ３１は変倍レンズを光軸方向に移動（駆動）するとともに、固定部材としても機能する。変倍モータ３１を回転させると第１ユニット１０へ不図示のギアユニットを介して動力が伝達されて第１ユニット１０の各筒及びレンズホルダが光軸方向に移動する。
【００１６】
回転検出部３２はベース部材２１に固定され、変倍モータ３１の不図示のモータ軸に係号するギアユニットの中の不図示のギアの回転を検出する。回転検出部３２によって変倍量を検出することができる。
【００１７】
フォーカスユニット４０は、フォーカスモータ４１（駆動手段）と、鏡筒位置検出部４２と、を有する。フォーカスモータ４１はフォーカスレンズを光軸方向に移動（駆動）する。フォーカスモータ４１が回転すると、それと一体の不図示のスクリューが回転し、スクリューに連結した不図示のナットが光軸方向へ移動し、ナットに連結したフォーカスレンズが光軸方向へ移動する。
【００１８】
鏡筒位置検出部４２はベース部材２１に固定され、レンズ鏡筒２の第１ユニット１０の基準位置、いわゆるリセットを検出する光センサである。鏡筒位置検出部４２の検出信号を基準として、第１ユニット１０を駆動させ、回転検出部３２の回転数を検出して第１ユニット１０の位置を制御することができる。
【００１９】
また、鏡筒位置検出部４２はフォーカスレンズの基準位置を検知し、鏡筒位置検出部４２からの基準信号よりフォーカスモータ４１の回転量を制御する役割も兼ねる。
【００２０】
フレキシブル基板５０は、変倍モータ３１、回転検出部３２、フォーカスモータ４１、鏡筒位置検出部４２に電力を供給する可撓性のある回路基盤である。具体的には、フレキシブル基板５０は、変倍モータ３１との不図示の接続部、回転検出部３２との不図示の接続部、フォーカスモータ４１との不図示の接続部、鏡筒位置検出部４２との不図示の接続部を有する。
【００２１】
また、フレキシブル基板５０は回路配線板であるため、電力だけでなく不図示の制御部からの制御信号やその他の信号を通信するために使用される信号線（配線）を有している。
【００２２】
上述したように、第１ユニット１０は第２ユニット２０に対して光軸方向から組み付けられ、不図示のビスによって固定される。変倍モータ３１、回転検出部３２、フォーカスモータ４１、鏡筒位置検出部４２はそれぞれ第２ユニット２０に固定されているため、フレキシブル基板５０のそれぞれの接続部も第２ユニット２０に収納されている。これにより、完成した第１ユニット１０と第２ユニット２０をビスで固定すればレンズ鏡筒２の組立てが完成するため、組立て作業性が向上している。
【００２３】
本実施例の撮像装置１では、コストを抑えることを目的として、レンズ鏡筒２を駆動するためのフレキシブル基板５０は配線パターンが両面に配線された両面フレキシブル基板ではなく、片面のみに配線パターンを有した片面フレキシブル基板を使用している。本実施例では、変倍モータ３１やフォーカスモータ４１の配置、フレキシブル基板５０の配線経路や折り曲げ位置を最適化する事により、片面フレキシブル基板を展開した時の面積を小さくしている。
【００２４】
以上により、フレキシブル基板５０は、変倍ユニット３０とフォーカスユニット４０との間の一部である細長いストリップ５１を有し、且つ、このストリップ５１には折り曲げ形状を有している。
【００２５】
なお、本実施例は、フレキシブル基板５０のストリップ５１は変倍モータ３１とフォーカスモータ４１との間にあるが、変倍モータ３１とフォーカスモータ４１の配置が異なる場合には変位する部分もそれに応じて変更される。
【００２６】
図４にあるように、このストリップ５１はベース部材２１の背面を縦断するように配設されている。一方で、フレキシブル基板５０は折り曲げるとフレキシブル基板５０の反発力により浮いてしまうため、フレキシブル基板５０の折り曲げ形状をベース部材２１の背面に配置する際には、ベース部材２１に対して確実に固定する必要がある。
【００２７】
このフレキシブル基板５０の浮きを確実に固定する方法として、例えば図５に示すように、ベース部材２１に設けた係合軸２１ｅに対してフレキシブル基板５０に設けた係合孔５０ｂを係合させる方法がある。また、図６に示すように、ベース部材２１に設けた開口部２１ａにフレキシブル基板５０を潜り込ませ係止部２１ｂにフレキを当接させることで、第２ユニット２０の厚みを増すことなくベース部材２１の肉厚内で処理する方法もある。
【００２８】
本実施例では、図７に示すように変倍モータ３１の回転検出部３２と変倍モータ３１に接続されたフレキシブル基板５０は、変倍モータ３１の真裏において２度折り返されている。そして、変倍モータ３１の回転検出部３２と変倍モータ３１に接続されたフレキシブル基板５０は、ベース部材２１の背面を這い回して第１ユニット１０の側面に配置されたフォーカスモータ４１の接続部や鏡筒位置検出部４２に接続される。これによりフレキシブル基板５０の折り曲げ部５０ａは、ベース部材２１の背面において第１ユニット１０の変倍ユニット３０が光軸方向に進退動作をする投影領域外に集約させている。
【００２９】
具体的には、ベース部材２１の変倍モータ３１背面部分に設けた開口部２１ｃにフレキシブル基板５０の折り曲げ部５０ａを潜り込ませ、変倍モータ３１と係止部２１ｄとの空間に挟み込むようにフレキシブル基板５０を固定している。変倍モータ３１はベース部材２１に固定されているため、レンズ鏡筒２の駆動時に光軸方向への進退動作や光軸と直交する平面内に移動しない。このため、一旦、変倍モータ３１と係止部２１ｄとの空間に収納されたフレキシブル基板５０の折り曲げ部５０ａには、必要以上の負荷がかからない。また、変倍モータ３１と係止部２１ｄとの空隙を管理することにより、フレキシブル基板５０の折り曲げ部５０ａにかかる負荷を調整することが可能となる。
【００３０】
以上、本発明の好ましい実施形態について説明したが、本発明はこれらの実施形態に限定されず、その要旨の範囲内で種々の変形及び変更が可能である。
【００３１】
例えば、フレキシブル基板５０の折り曲げ部５０ａは変倍モータ３１と係止部２１ｄに収納する必要はなく、ベース部材２１の係止部２１ｄと第２ユニット２０の不動作部との空間に収納できる構造であればよい。
【００３２】
以上、本実施例は、変倍モータ３１とベース部材２１の係止部２１ｄとの空間にフレキシブル基板５０の折り曲げ部５０ａを収納させる。これにより、レンズ鏡筒２の厚みを増すことなく、且つ、フレキシブル基板５０の浮きを抑える両面テープ等の追加部品を必要としないフレキシブル基板処理構造を提供することができる。
【符号の説明】
【００３３】
１０  第１ユニット
２０  第２ユニット
２１  ベース部材
２１ｃ  開口部
２１ｄ  係止部
２２  撮像素子
３１  変倍モータ
５０  フレキシブル基板
【図１】
2014102432.tif 000003
【図２】
2014102432.tif 000004
【図３】
2014102432.tif 000005
【図４】
2014102432.tif 000006
【図５】
2014102432.tif 000007
【図６】
2014102432.tif 000008
【図７】
2014102432.tif 000009